(57)【特許請求の範囲】
【請求項１】
映像情報または音声情報を連続的に記録可能な連続記録モードを有する情報記録手段と、
前記連続記録モードで記録された一連の情報を格納する情報格納手段と、
前記連続記録モードでの情報記録時におけるユーザのトリガ動作を検出するトリガ検出手段と、
前記ユーザのトリガ動作に基づいて、前記情報格納手段に格納された前記一連の情報のうち、前記ユーザが興味を有する正事例の情報を決定する正事例決定手段と、
前記情報格納手段に格納された前記一連の情報のうち、前記正事例の情報以外の情報を、前記ユーザが興味を有しない負事例の情報として決定する負事例決定手段と、
を備え、
前記負事例決定手段は、前記情報格納手段に格納された前記一連の情報のうち、前記正事例の情報以外の情報から間欠的に抜き出した部分情報を、前記負事例の情報として決定することを特徴とする負事例収集デバイス。
【請求項２】
映像情報または音声情報を連続的に記録可能な連続記録モードを有する情報記録手段と、
前記連続記録モードで記録された一連の情報を格納する情報格納手段と、
前記連続記録モードでの情報記録時におけるユーザのトリガ動作を検出するトリガ検出手段と、
前記ユーザのトリガ動作に基づいて、前記情報格納手段に格納された前記一連の情報のうち、前記ユーザが興味を有する正事例の情報を決定する正事例決定手段と、
前記情報格納手段に格納された前記一連の情報のうち、前記正事例の情報以外の情報を、前記ユーザが興味を有しない負事例の情報として決定する負事例決定手段と、
を備え、
前記トリガ検出手段は、前記連続記録モードでの情報記録時におけるユーザの連続的なトリガ動作を検出可能であり、
前記負事例決定手段は、前記情報格納手段に格納された前記一連の情報のうち、前記連続的なトリガ動作の期間の情報を、前記負事例の情報として決定しないことを特徴とする負事例収集デバイス。
【請求項３】
映像情報または音声情報を連続的に記録可能な連続記録モードを有する情報記録手段と、
前記連続記録モードで記録された一連の情報を格納する情報格納手段と、
前記連続記録モードでの情報記録時におけるユーザのトリガ動作を検出するトリガ検出手段と、
前記ユーザのトリガ動作に基づいて、前記情報格納手段に格納された前記一連の情報のうち、前記ユーザが興味を有する正事例の情報を決定する正事例決定手段と、
前記情報格納手段に格納された前記一連の情報のうち、前記正事例の情報以外の情報を、前記ユーザが興味を有しない負事例の情報として決定する負事例決定手段と、
以前に記録された一連の情報における過去のトリガ動作時の記録対象を特定する対象特定手段と、
を備え、
前記負事例決定手段は、前記情報格納手段に格納された前記一連の情報のうち、前記過去のトリガ動作時の記録対象が含まれる情報を、前記負事例の情報として決定しないことを特徴とする負事例収集デバイス。
【請求項４】
前記負事例決定手段は、前記情報格納手段に格納された前記一連の情報のうち、前記正事例の情報の直前に記録された情報を、前記負事例の情報として決定することを特徴とする請求項１〜請求項３のいずれかに記載の負事例収集デバイス。
【請求項５】
前記負事例決定手段は、前記情報格納手段に格納された前記一連の情報のうち、前記正事例の情報の直後に記録された情報を、前記負事例の情報として決定することを特徴とする請求項１〜請求項４のいずれかに記載の負事例収集デバイス。
【請求項６】
映像情報または音声情報を連続的に記録可能な連続記録モードで記録された一連の情報を格納し、
前記連続記録モードでの情報記録時におけるユーザのトリガ動作に基づいて、格納した前記一連の情報のうち、前記ユーザが興味を有する正事例の情報を決定し、
格納した前記一連の情報のうち、前記正事例の情報以外の情報を、前記ユーザが興味を有しない負事例の情報として決定する負事例収集方法において、
格納された前記一連の情報のうち、前記正事例の情報以外の情報から間欠的に抜き出した部分情報を、前記負事例の情報として決定することを特徴とする負事例収集方法。
【請求項７】
映像情報または音声情報を連続的に記録可能な連続記録モードで記録された一連の情報を格納し、
前記連続記録モードでの情報記録時におけるユーザのトリガ動作に基づいて、格納した前記一連の情報のうち、前記ユーザが興味を有する正事例の情報を決定し、
格納した前記一連の情報のうち、前記正事例の情報以外の情報を、前記ユーザが興味を有しない負事例の情報として決定する負事例収集方法において、
前記トリガ動作を検出する場合には、前記連続記録モードでの情報記録時におけるユーザの連続的なトリガ動作を検出可能であり、
格納された前記一連の情報のうち、前記連続的なトリガ動作の期間の情報を、前記負事例の情報として決定しないことを特徴とする負事例収集方法。
【請求項８】
映像情報または音声情報を連続的に記録可能な連続記録モードで記録された一連の情報を格納し、
前記連続記録モードでの情報記録時におけるユーザのトリガ動作に基づいて、格納した前記一連の情報のうち、前記ユーザが興味を有する正事例の情報を決定し、
格納した前記一連の情報のうち、前記正事例の情報以外の情報を、前記ユーザが興味を有しない負事例の情報として決定する負事例収集方法において、
以前に記録された一連の情報における過去のトリガ動作時の記録対象を特定し、
格納された前記一連の情報のうち、前記過去のトリガ動作時の記録対象が含まれる情報を、前記負事例の情報として決定しないことを特徴とする負事例収集方法。
【請求項９】
映像情報または音声情報を連続的に記録可能な連続記録モードを有する情報記録手段と、
前記連続記録モードで記録された一連の情報を格納する情報格納手段と、
前記連続記録モードでの情報記録時におけるユーザのトリガ動作を検出するトリガ検出手段と、
前記ユーザのトリガ動作に基づいて、前記情報格納手段に格納された前記一連の情報のうち、前記ユーザが興味を有する正事例の情報を決定する正事例決定手段と、
前記情報格納手段に格納された前記一連の情報のうち、前記正事例の情報以外の情報を、前記ユーザが興味を有しない負事例の情報として決定する負事例決定手段と、
を備え、
前記負事例決定手段は、前記情報格納手段に格納された前記一連の情報のうち、前記正事例の情報以外の情報から間欠的に抜き出した部分情報を、前記負事例の情報として決定することを特徴とする負事例収集システム。
【請求項１０】
映像情報または音声情報を連続的に記録可能な連続記録モードを有する情報記録手段と、
前記連続記録モードで記録された一連の情報を格納する情報格納手段と、
前記連続記録モードでの情報記録時におけるユーザのトリガ動作を検出するトリガ検出手段と、
前記ユーザのトリガ動作に基づいて、前記情報格納手段に格納された前記一連の情報のうち、前記ユーザが興味を有する正事例の情報を決定する正事例決定手段と、
前記情報格納手段に格納された前記一連の情報のうち、前記正事例の情報以外の情報を、前記ユーザが興味を有しない負事例の情報として決定する負事例決定手段と、
を備え、
前記トリガ検出手段は、前記連続記録モードでの情報記録時におけるユーザの連続的なトリガ動作を検出可能であり、
前記負事例決定手段は、前記情報格納手段に格納された前記一連の情報のうち、前記連続的なトリガ動作の期間の情報を、前記負事例の情報として決定しないことを特徴とする負事例収集システム。
【請求項１１】
映像情報または音声情報を連続的に記録可能な連続記録モードを有する情報記録手段と、
前記連続記録モードで記録された一連の情報を格納する情報格納手段と、
前記連続記録モードでの情報記録時におけるユーザのトリガ動作を検出するトリガ検出手段と、
前記ユーザのトリガ動作に基づいて、前記情報格納手段に格納された前記一連の情報のうち、前記ユーザが興味を有する正事例の情報を決定する正事例決定手段と、
前記情報格納手段に格納された前記一連の情報のうち、前記正事例の情報以外の情報を、前記ユーザが興味を有しない負事例の情報として決定する負事例決定手段と、
以前に記録された一連の情報における過去のトリガ動作時の記録対象を特定する対象特定手段と、
を備え、
前記負事例決定手段は、前記情報格納手段に格納された前記一連の情報のうち、前記過去のトリガ動作時の記録対象が含まれる情報を、前記負事例の情報として決定しないことを特徴とする負事例収集システム。
【発明の詳細な説明】
【技術分野】
【０００１】
本発明は、ユーザが興味を有しない負事例の情報を収集する機能を備えた負事例収集デバイスに関する。
【背景技術】
【０００２】
近年、情報技術の発展に伴い、機械学習のアルゴリズムを用いて、様々な事項を解析する技術の開発が行われている。この機械学習の精度を上げるためには、多くの事例データを収集する必要がある。例えば、既にある機械学習のための正解データから、新たな正解事例を作り出すことによって、機械学習の精度を上げる技術が提案されている（例えば特許文献１参照）。
【０００３】
【特許文献１】特開２００４−２８７７７６号公報
【発明の開示】
【発明が解決しようとする課題】
【０００４】
上記のような機械学習のための事例データを収集する方法として、例えば、ネットワーク機能を持つデバイスによってユーザの興味を抽出し、他のユーザ又はネットワーク上のデータベースから、ユーザの興味に基づいた様々なコンテンツを自動的に推薦して、ダウンロードする方法が考えられる。しかしながら、ユーザの興味や嗜好は千差万別であり、その特徴量や大きさを正確に把握することは非常に困難であるという問題があった。また、ユーザが多くの事例データを直接入力することは、ユーザにとって大きな負担を強いることになるという問題があった。
【０００５】
このような問題に対して、機械学習などの人工知能のアルゴリズムにより、ユーザの嗜好を把握する手法が考えられる。ユーザの興味を引く事例（正事例）のデータを収集する方法としては、例えば記録対象や記録時間などを利用する方法が考えられる。しかし、ユーザの興味を引かない事例（負事例）のデータを効率的に取得する方法は、これまで提案されていない。
【０００６】
本発明は、上記の課題に鑑みてなされたもので、ユーザが興味を有しない負事例の情報を効率的に収集することのできる負事例収集デバイスを提供することを目的とする。
【課題を解決するための手段】
【０００７】
本発明の負事例収集デバイスは、映像情報または音声情報を連続的に記録可能な連続記録モードを有する情報記録手段と、前記連続記録モードで記録された一連の情報を格納する情報格納手段と、前記連続記録モードでの情報記録時におけるユーザのトリガ動作を検出するトリガ検出手段と、前記ユーザのトリガ動作に基づいて、前記情報格納手段に格納された前記一連の情報のうち、前記ユーザが興味を有する正事例の情報を決定する正事例決定手段と、前記情報格納手段に格納された前記一連の情報のうち、前記正事例の情報以外の情報を、前記ユーザが興味を有しない負事例の情報として決定する負事例決定手段と、を備えている。
【０００８】
このデバイスにより、連続的に記録された一連の情報のうち、ユーザのトリガ動作に基づいて決定された正事例の情報以外の情報が、負事例の情報として決定される。これにより、ユーザが興味を有しない負事例の情報を効率的に収集することが可能になる。
【０００９】
また、本発明の負事例収集デバイスでは、前記負事例決定手段は、前記情報格納手段に格納された前記一連の情報のうち、前記正事例の情報の直前に記録された情報を、前記負事例の情報として決定してもよい。
【００１０】
これにより、連続的に記録された一連の情報のうち、正事例の直前の情報が、負事例の情報として決定される。これにより、正事例の直前の負事例の情報を効率的に収集することが可能になる。
【００１１】
また、本発明の負事例収集デバイスでは、前記負事例決定手段は、前記情報格納手段に格納された前記一連の情報のうち、前記正事例の情報の直後に記録された情報を、前記負事例の情報として決定してもよい。
【００１２】
これにより、連続的に記録された一連の情報のうち、正事例の直後の情報が、負事例の情報として決定される。これにより、正事例の直後の負事例の情報を効率的に収集することが可能になる。
【００１３】
また、本発明の負事例収集デバイスでは、前記負事例決定手段は、前記情報格納手段に格納された前記一連の情報のうち、前記正事例の情報以外の情報から間欠的に抜き出した部分情報を、前記負事例の情報として決定してもよい。
【００１４】
これにより、連続的に記録された一連の情報のうち、間欠的に抜き出した部分情報が、負事例の情報として決定される。これにより、散発的な負事例の情報を効率的に収集することが可能になる。
【００１５】
また、本発明の負事例収集デバイスでは、前記トリガ検出手段は、前記連続記録モードでの情報記録時におけるユーザの連続的なトリガ動作を検出可能であり、前記負事例決定手段は、前記情報格納手段に格納された前記一連の情報のうち、前記連続的なトリガ動作の期間の情報を、前記負事例の情報として決定しないものでもよい。
【００１６】
これにより、連続的に記録された一連の情報のうち、連続的なトリガ動作の期間の情報は、負事例の情報として決定されない。ユーザが連続的なトリガ動作を行う期間は、ユーザにとって興味深い事例が発生している（その期間の情報は、負事例の情報として適切でない）可能性が高い。これにより、負事例の情報を適切に収集することが可能になる。
【００１７】
また、本発明の負事例収集デバイスでは、以前に記録された一連の情報における過去のトリガ動作時の記録対象を特定する対象特定手段を備え、前記負事例決定手段は、前記情報格納手段に格納された前記一連の情報のうち、前記過去のトリガ動作時の記録対象が含まれる情報を、前記負事例の情報として決定しないものでもよい。
【００１８】
これにより、連続的に記録された一連の情報のうち、過去のトリガ動作時の記録対象が含まれる情報は、負事例の情報として決定されない。ユーザが過去にトリガ動作を行った対象は、ユーザにとって興味深いものである（その対象の情報は、負事例の情報として適切でない）可能性が高い。これにより、負事例の情報を適切に収集することが可能になる。
【００１９】
本発明の負事例収集方法は、映像情報または音声情報を連続的に記録可能な連続記録モードで記録された一連の情報を格納し、前記連続記録モードでの情報記録時におけるユーザのトリガ動作に基づいて、格納した前記一連の情報のうち、前記ユーザが興味を有する正事例の情報を決定し、格納した前記一連の情報のうち、前記正事例の情報以外の情報を、前記ユーザが興味を有しない負事例の情報として決定する。
【００２０】
この方法により、連続的に記録された一連の情報のうち、ユーザのトリガ動作に基づいて決定された正事例の情報以外の情報が、負事例の情報として決定される。これにより、ユーザが興味を有しない負事例の情報を効率的に収集することが可能になる。
【００２１】
本発明の負事例収集システムは、映像情報または音声情報を連続的に記録可能な連続記録モードを有する情報記録手段と、前記連続記録モードで記録された一連の情報を格納する情報格納手段と、前記連続記録モードでの情報記録時におけるユーザのトリガ動作を検出するトリガ検出手段と、前記ユーザのトリガ動作に基づいて、前記情報格納手段に格納された前記一連の情報のうち、前記ユーザが興味を有する正事例の情報を決定する正事例決定手段と、前記情報格納手段に格納された前記一連の情報のうち、前記正事例の情報以外の情報を、前記ユーザが興味を有しない負事例の情報として決定する負事例決定手段と、を備えている。
【００２２】
このシステムによっても、連続的に記録された一連の情報のうち、ユーザのトリガ動作に基づいて決定された正事例の情報以外の情報が、負事例の情報として決定される。これにより、ユーザが興味を有しない負事例の情報を効率的に収集することが可能になる。
【発明の効果】
【００２３】
本発明によれば、連続的に記録された一連の情報の中から負事例の情報を決定することができる負事例決定手段を設けることにより、ユーザが興味を有しない負事例の情報を効率的に収集することができる。
【発明を実施するための最良の形態】
【００２４】
以下、本発明の実施の形態の負事例収集システムについて、図面を用いて説明する。本実施の形態では、例えば、機械学習のための事例データの収集のために、負事例収集デバイス（単にデバイスともいう）を用いてユーザが負事例を収集する場合を例示する。
【００２５】
図１は、本実施の形態の負事例収集システムの概略を説明するための説明図である。図１では、デバイス１を所持するユーザが、所定の経路を移動しながら様々な対象物（例えば対象物Ａ〜対象物Ｄ）を撮影する例が示されている。
【００２６】
このデバイス１は、電源をオンにすると連続記録モードになり、映像情報および音声情報の連続的な記録が可能になる。つまり、このデバイス１は、電源をオンにした状態で、常時、実世界の記録が可能になるともいえる。そして、このデバイス１には、ユーザが興味のある対象物を撮影するときに押下するトリガボタン２が備えられている（図２参照）。
【００２７】
ユーザは、経路を移動しながら、デバイス１（連続記録モードのデバイス１）を様々な対象物に向けて、自分が興味を持った対象物（正事例の対象物）にデバイス１を向けたときに、トリガボタン２を押下する。つまり、ユーザが興味を持たなかった対象物（負事例の対象物）にデバイス１を向けたときには、トリガボタン２は押下されない。
【００２８】
例えば、図１では、ユーザは、対象物Ｃ（正事例の対象物）にデバイス１を向けたときに、トリガボタン２を押下し、対象物Ａ、Ｂ、Ｄ（負事例の対象物）にデバイス１を向けたときには、トリガボタン２を押下しない。このようにして、ユーザは、身の回りで生じた様々な事象について、興味を惹かれるものに対しては、デバイス１を用いて記録をする。
【００２９】
このようなデバイス１の例としては、ライフログを記録するためのデジタルビデオカメラ等があげられる。デジタルビデオカメラは、電源をオンにした状態で、常時、映像情報と音声情報の記録が可能になり、ユーザは、興味のある対象物を撮影するときに録画ボタン（トリガボタン２）を押下する。
【００３０】
図２は、本実施の形態のデバイス１の構成を説明するためのブロック図である。図２に示すように、デバイス１は、映像情報や音声情報を連続的に記録できる情報記録部３と、記録した一連の情報を格納する情報格納部４を備えている。この情報記録部３は、例えばＣＣＤカメラや音声マイクなどで構成されており、情報格納部４は、例えばＨＤＤなどの大容量メモリで構成されている。なお、記録されたデータが、情報格納部４の最大容量を超える場合には、最も古い日時のデータに上書きすることによって対処してもよい。また、このデバイス１は、負事例収集に関する種々の制御を行う制御部５を備えている。この制御部５は、例えばＣＰＵやマイコンなどで構成されている。
【００３１】
制御部５は、トリガボタン２の押下（トリガ動作）を検出するトリガ検出部６と、情報格納部４に格納された一連の情報の中から正事例の情報を決定する正事例決定部７と、情報格納部４に格納された一連の情報の中から負事例の情報を決定する負事例決定部８を備えている。また、この制御部５は、以前に記録した一連の情報の中から過去のトリガ動作時の記録対象を特定する対象特定部９を備えている。
【００３２】
正事例決定部７は、情報格納部４に格納された一連の情報のうち、ユーザがトリガボタン２の押下（トリガ動作）をした時点を基準として、その前後の所定期間の情報を、正事例の情報として決定する。これは、ユーザが実世界の興味深い事象（正事例）を発見してから、具体的な行動（トリガボタン２の押下）を起こすまでのタイムラグを考慮したものである。
【００３３】
負事例決定部８は、情報格納部４に格納された一連の情報のうち、正事例の情報以外の情報を、負事例の情報として決定する。本実施の形態の負事例決定部８は、後述するように、様々な負事例決定パターンで負事例の情報を決定する機能を有している。
【００３４】
例えば、第１の負事例決定パターンでは、情報格納部４に格納された一連の情報のうち、正事例の直前の情報が、負事例の情報として決定される（図３参照）。また、第２の負事例決定パターンでは、情報格納部４に格納された一連の情報のうち、正事例の直後の情報が、負事例の情報として決定される（図４参照）。また、第３の負事例決定パターンでは、情報格納部４に格納された一連の情報のうち、間欠的に抜き出した部分情報が、負事例の情報として決定される（図５参照）。
【００３５】
また、第４の負事例決定パターンでは、情報格納部４に格納された一連の情報のうち、連続的なトリガ動作の期間の情報は、負事例の情報として決定されない（図６参照）。また、第５の負事例決定パターンでは、情報格納部４に格納された一連の情報のうち、過去のトリガ動作時の記録対象が含まれる情報は、負事例の情報として決定されない（図７参照）。なお、本発明の負事例決定パターンは、これらに限定されるものではない。
【００３６】
トリガ検出部６は、上記の第４の負事例決定パターンで負事例の情報を決定するために必要な機能を備えている。つまり、このトリガ検出部６は、ユーザの連続的なトリガ動作を検出する機能を有している（図６参照）。
【００３７】
対象特定部９は、上記の第５の負事例決定パターンで負事例の情報を決定するために必要な機能を備えている。例えば、この対象特定部９は、情報格納部４に格納された映像情報に画像処理（パターンマッチング処理等）を施して、トリガ動作時の撮影対象（どのような物体が撮影されたか）が決定する機能を有している。
【００３８】
以上のように構成された負事例収集デバイス１について、図面を用いてその動作を説明する。ここでは、図３〜図７を参照して、本発明に特徴的な５つの負事例決定パターン（第１〜第５の負事例決定パターン）により負事例の情報を収集するときの動作について説明する。
【００３９】
（第１の負事例決定パターンによる負事例情報収集）
図３は、第１の負事例決定パターンにより負事例の情報を収集するときの動作の一例を示す図である。図３の例では、ユーザは、時刻ｔ１にデバイス１の電源をオン（連続記録モードをオン）にして、時刻ｔ２にデバイス１の電源をオフ（連続記録モードをオフ）にしている。その間（時刻ｔ１から時刻ｔ２の間）、ユーザはデバイス１で様々な対象物を撮影し、自分が興味を持った対象物を撮影したときに（時刻ｔ３）、トリガボタン２の押下（トリガ動作）を行う。
【００４０】
この場合、デバイス１の正事例決定部７は、ユーザのトリガ動作の時刻ｔ３を基点として、一定の期間（時刻ｔ４から時刻ｔ５までの期間）を正事例として決定する。そして、負事例決定部８は、その正事例の直前から一定時間さかのぼった期間（時刻ｔ６から時刻ｔ４までの期間）を負事例として決定する。このようにして、正事例の直前の負事例の情報が収集される。
【００４１】
（第２の負事例決定パターンによる負事例情報収集）
図４は、第２の負事例決定パターンにより負事例の情報を収集するときの動作の一例を示す図である。図４の例でも、図３の場合と同様に、ユーザは、時刻ｔ１にデバイス１の電源をオン（連続記録モードをオン）にして、時刻ｔ２にデバイス１の電源をオフ（連続記録モードをオフ）にしている。その間（時刻ｔ１から時刻ｔ２の間）、ユーザはデバイス１で様々な対象物を撮影し、自分が興味を持った対象物を撮影したときに（時刻ｔ３）、トリガボタン２の押下（トリガ動作）を行う。
【００４２】
この場合にも、デバイス１の正事例決定部７は、ユーザのトリガ動作の時刻ｔ３を基点として、一定の期間（時刻ｔ４から時刻ｔ５までの期間）を正事例として決定する。そして、図４の例では、負事例決定部８が、その正事例の直後の一定の期間（時刻ｔ５から時刻ｔ７までの期間）を負事例として決定する。このようにして、正事例の直後の負事例の情報が収集される。
【００４３】
（第３の負事例決定パターンによる負事例情報収集）
図５は、第３の負事例決定パターンにより負事例の情報を収集するときの動作の一例を示す図である。図５の例でも、図３の場合と同様に、ユーザは、時刻ｔ１にデバイス１の電源をオン（連続記録モードをオン）にして、時刻ｔ２にデバイス１の電源をオフ（連続記録モードをオフ）にしている。その間（時刻ｔ１から時刻ｔ２の間）、ユーザはデバイス１で様々な対象物を撮影し、自分が興味を持った対象物を撮影したときに（時刻ｔ３）、トリガボタン２の押下（トリガ動作）を行う。
【００４４】
この場合にも、デバイス１の正事例決定部７は、ユーザのトリガ動作の時刻ｔ３を基点として、一定の期間（時刻ｔ４から時刻ｔ５までの期間）を正事例として決定する。そして、図５の例では、負事例決定部８が、間欠的に抜き出された期間（期間Ｔａ、期間Ｔｂ、期間Ｔｃ）が、負事例として決定する。このようにして、散発的な負事例の情報が収集される。
【００４５】
（第４の負事例決定パターンによる負事例情報収集）
図６は、第４の負事例決定パターンにより負事例の情報を収集するときの動作の一例を示す図である。図６の例でも、図３の場合と同様に、ユーザは、時刻ｔ１にデバイス１の電源をオン（連続記録モードをオン）にして、時刻ｔ２にデバイス１の電源をオフ（連続記録モードをオフ）にしている。
【００４６】
図６の例では、その間（時刻ｔ１から時刻ｔ２の間）、ユーザはデバイス１で様々な対象物を撮影し、自分が興味を持った対象物を撮影したときに（時刻ｔ３および時刻ｔ３’）、連続的にトリガボタン２の押下（トリガ動作）を行う。なお、この例では、２回連続のトリガ動作の場合を例示したが、本発明の範囲は、これに限定されるものではなく、トリガ動作の回数は３回以上であってもよい。
【００４７】
この場合、デバイス１の正事例決定部７は、ユーザのトリガ動作の時刻ｔ３を基点として、一定の期間（時刻ｔ４から時刻ｔ５までの期間）を正事例として決定する。また、デバイス１の正事例決定部７は、ユーザのトリガ動作の時刻ｔ３’を基点として、一定の期間（時刻ｔ４’から時刻ｔ５’までの期間）を正事例として決定する。
【００４８】
そして、図６の例では、負事例決定部８は、連続トリガ動作の期間（時刻ｔ４’から時刻ｔ５までの期間）の情報については負事例として決定しない（負事例から除外する）。つまり、この場合、一方の正事例の直前の一定の期間（時刻ｔ６’から時刻ｔ４’までの期間）が負事例として決定され、もう一方の正事例の直前の一定の期間（時刻ｔ５’から時刻ｔ４までの期間）は負事例として決定されない。ユーザのトリガ動作が短期間に複数回行われている場合には、ユーザにとって非常に興味深い事象が発生している可能性が高い。そのような場合に、上記のように、負事例の情報として適切でない可能性のある情報を除外する（負事例期間を可変させる）ことにより、負事例の情報が適切に収集される。
【００４９】
（第５の負事例決定パターンによる負事例情報収集）
図７は、第５の負事例決定パターンにより負事例の情報を収集するときの動作の一例を示す図である。図７の例でも、図３の場合と同様に、ユーザは、時刻ｔ１にデバイス１の電源をオン（連続記録モードをオン）にして、時刻ｔ２にデバイス１の電源をオフ（連続記録モードをオフ）にしている。この場合、ユーザは、時刻ｔ１より過去の時刻ｔ１”にデバイス１の電源をオン（連続記録モードをオン）にして、時刻ｔ２”にデバイス１の電源をオフ（連続記録モードをオフ）にしている。
【００５０】
図７の例では、時刻ｔ１から時刻ｔ２の間に、ユーザはデバイス１で様々な対象物を撮影し、自分が興味を持った対象物を撮影したときに（時刻ｔ３）、トリガボタン２の押下（トリガ動作）を行う。また、この場合、ユーザは、過去の時刻ｔ１”から時刻ｔ２”の間にも、デバイス１で様々な対象物を撮影し、自分が興味を持った対象物を撮影したときに（時刻ｔ３”）、トリガボタン２の押下（トリガ動作）を行っている。
【００５１】
この例では、デバイス１の正事例決定部７は、ユーザのトリガ動作の時刻ｔ３を基点として、一定の期間（時刻ｔ４から時刻ｔ５までの期間）を正事例として決定する。そして、負事例決定部８は、その正事例の直前から一定時間さかのぼった期間（時刻ｔ６から時刻ｔ４までの期間）のうち、時刻ｔ３”のトリガ動作時の記録対象が含まれる期間Ｔｘの情報については、負事例として決定しない（負事例から除外する）。つまり、この場合、正事例の直前の一定の期間（時刻ｔ６から時刻ｔ４までの期間）のうち、期間Ｔｘ以外の期間が負事例として決定される。ユーザが過去にトリガ動作を行った対象物（正事例）は、ユーザにとって非常に興味深いものである可能性が高い。そのような場合に、上記のように、負事例の情報として適切でない可能性のある情報を除外する（負事例期間を可変させる）ことにより、負事例の情報が適切に収集される。
【００５２】
このような本実施の形態の負事例収集デバイス１によれば、連続的に記録された一連の情報の中から負事例の情報を決定することができる負事例決定部８を設けることにより、ユーザが興味を有しない負事例の情報を効率的に収集することができる。
【００５３】
すなわち、本実施の形態では、連続的に記録された一連の情報のうち、ユーザのトリガ動作に基づいて決定された正事例の情報以外の情報が、負事例の情報として決定される。これにより、ユーザが興味を有しない負事例の情報を効率的に収集することが可能になる。
【００５４】
例えば、本実施の形態では、図３に示すように、連続的に記録された一連の情報のうち、正事例の直前の情報が、負事例の情報として決定される。これにより、正事例の直前の負事例の情報を効率的に収集することが可能になる。
【００５５】
また、本実施の形態では、図４に示すように、連続的に記録された一連の情報のうち、正事例の直後の情報が、負事例の情報として決定される。これにより、正事例の直後の負事例の情報を効率的に収集することが可能になる。
【００５６】
また、本実施の形態では、図５に示すように、連続的に記録された一連の情報のうち、間欠的に抜き出した部分情報が、負事例の情報として決定される。これにより、散発的な負事例の情報を効率的に収集することが可能になる。
【００５７】
また、本実施の形態では、図６に示すように、連続的に記録された一連の情報のうち、連続的なトリガ動作の期間の情報は、負事例の情報として決定されない。ユーザが連続的なトリガ動作を行う期間は、ユーザにとって興味深い事例が発生している（その期間の情報は、負事例の情報として適切でない）可能性が高い。これにより、負事例の情報を適切に収集することが可能になる。
【００５８】
また、本実施の形態では、図７に示すように、連続的に記録された一連の情報のうち、過去のトリガ動作時の記録対象が含まれる情報は、負事例の情報として決定されない。ユーザが過去にトリガ動作を行った対象は、ユーザにとって興味深いものである（その対象の情報は、負事例の情報として適切でない）可能性が高い。これにより、負事例の情報を適切に収集することが可能になる。
【００５９】
このような本発明のデバイス１によれば、実世界の事例を映像や音声で記録することをトリガとして、個人の興味や嗜好における正事例および負事例を収集することができる。
【００６０】
そして、このデバイス１によれば、デバイス１を操作するユーザの興味や嗜好に関する正事例のみならず、負事例の情報を取得することが出来る。また、このデバイス１によれば、計算処理的に、負事例の情報を効率的に取得することが出来る。
【００６１】
また、一般に、負事例の情報の処理には、ユーザに大きな負担となるが、本発明のデバイス１によれば、ユーザは、正事例に関する処理（トリガ動作）だけを行えばよく、負事例に関するユーザの処理が低減される。これにより、負事例の情報を収集する際のユーザの負担が軽減される。
【００６２】
以上、本発明の実施の形態を例示により説明したが、本発明の範囲はこれらに限定されるものではなく、請求項に記載された範囲内において目的に応じて変更・変形することが可能である。
【００６３】
以上の例では、デバイス１において負事例収集の処理が行われる例について説明したが、本発明の範囲はこれに限定されるものではない。例えば、デバイス１が、ネットワークを介してサーバと通信する機能（いわゆるネットワーク機能）を備えており、デバイス１で記録した情報をネットワーク経由でサーバへ送信し、サーバ上で負事例収集の処理を行ってもよい。
【産業上の利用可能性】
【００６４】
以上のように、本発明にかかる負事例収集デバイスは、ユーザが興味を有しない負事例の情報を効率的に収集することができるという効果を有し、機械学習のための事例データの収集等に用いられ、有用である。
【図面の簡単な説明】
【００６５】
【図１】本実施の形態における負事例収集システムの説明図である。
【図２】本実施の形態で用いられるデバイス（負事例収集デバイス）のブロック図である。
【図３】第１の負事例決定パターンの説明図である。
【図４】第２の負事例決定パターンの説明図である。
【図５】第３の負事例決定パターンの説明図である。
【図６】第４の負事例決定パターンの説明図である。
【図７】第５の負事例決定パターンの説明図である。
【符号の説明】
【００６６】
１  負事例収集デバイス
２  トリガボタン
３  情報記録部
４  情報格納部
５  制御部
６  トリガ検出部
７  正事例決定部
８  負事例決定部
９  対象特定部
【図１】
0004989542.tif 000002
【図２】
0004989542.tif 000003
【図３】
0004989542.tif 000004
【図４】
0004989542.tif 000005
【図５】
0004989542.tif 000006
【図６】
0004989542.tif 000007
【図７】
0004989542.tif 000008